(57)【要約】【課題】  鞄や煙草等の物品を身近に置いて遊技に集中することができ、しかも、物品に関して衛生を損なうことのない遊技機を提供する。【解決手段】  扉６の正面に設けられ、使用時には扉６のパネル板２６から上方向に９０度回転し、不使用時には上方向から下方向に９０度回転復帰して扉６のパネル板２６に対向するテーブル７０と、上方向に９０度回転したテーブル７０を水平に支持する支持機構８０とを備える。胸元のテーブル７０上に鞄、煙草８３、雑誌、弁当箱等を置くことができるので、これらを汚れている床に直接置く必要が全くない。したがって、鞄や煙草８３等を気にすることなく、大いに遊技に集中できる。【選択図】  図６
2006141703.tif 000002
【特許請求の範囲】
【請求項１】
筐体の開口した正面の下部を扉により開閉する遊技機であって、扉に設けられ、使用時には扉の正面から上方向に回転し、不使用時には下方向に回転して扉の正面に対向するテーブルと、上方向に回転したテーブルを略水平に支持する支持機構とを含んでなることを特徴とする遊技機。
【請求項２】
扉を、筐体の側部に回転可能に支持される下部キャビネットと、この下部キャビネットの上部に設置される遊技者用の操作ユニットと、下部キャビネットの正面に取り付けられる光源と、下部キャビネットの正面に取り付けられて操作ユニットよりも下方に位置する扉枠と、この扉枠に取り付けられて光源を覆う透光性のパネル板とから構成し、
テーブルを扉枠に対応する略板形に形成して扉枠の上部に回転可能に支持させ、
支持機構を、扉枠の両側部に回転可能に支持される第一のバーと、この第一のバーに回転可能に連結され、テーブルの側部に回転可能に支持される第二のバーとから構成した請求項１記載の遊技機。
【請求項３】
扉を、筐体の側部に回転可能に支持される下部キャビネットと、この下部キャビネットの上部に設置される遊技者用の操作ユニットと、下部キャビネットの正面に取り付けられる光源とから構成し、
テーブルを、下部キャビネットの正面に回転可能に支持されて操作ユニットよりも下方に位置する扉枠と、この扉枠に取り付けられて扉の光源を覆う透光性のパネル板とから構成し、
支持機構を、下部キャビネットの両側部に回転可能に支持される第一のバーと、この第一のバーに回転可能に連結され、テーブルの側部に回転可能に支持される第二のバーとから構成した請求項１記載の遊技機。
【請求項４】
扉の正面に対向するテーブルとの接触に基づき、扉の光源をＯＮし、扉の正面から上方向に回転したテーブルとの離隔に基づき、扉の光源をＯＦＦするスイッチを備えた請求項３記載の遊技機。
【発明の詳細な説明】
【技術分野】
【０００１】
本発明は、スロットマシン等からなる遊技機に関し、より詳しくは、小物や荷物等を搭載する遊技機のテーブルに関するものである。
【背景技術】
【０００２】
スロットマシンやパチンコ遊技機からなる遊技機を使用して遊技する場合には、従来、遊技機の前の椅子に座り、遊技機の操作ユニットを操作して遊技している。この遊技の際、ジュース等を飲みながら楽しむ場合には、遊技機の操作ユニット近傍に装着されたホルダにジュース等のカップを嵌入したり、ホルダからカップを手に取り口にする（特許文献１参照）。
【特許文献１】特開２００１‐１８７２６１号公報
【発明の開示】
【発明が解決しようとする課題】
【０００３】
従来の遊技機は、以上のように遊技機の操作ユニット近傍に、カップ用のホルダが装着されてはいるものの、鞄、煙草、雑誌、弁当箱等を手元に置く場所がないので、これらを置く場合には、汚れている床に直接置かざるを得ない。
したがって、遊技者によっては足元の鞄や煙草等が気になって遊技に集中することができず、しかも、床に置く関係上、不衛生であるという大きな問題がある。
【０００４】
本発明は上記に鑑みなされたもので、鞄や煙草等の物品を身近に置いて遊技に集中することができ、しかも、物品に関して衛生を損なうことのない遊技機を提供することを目的としている。
【課題を解決するための手段】
【０００５】
本発明においては上記課題を解決するため、筐体の開口した正面の下部を扉により開閉するものであって、
扉に設けられ、使用時には上方向に回転し、不使用時には下方向に回転して扉の正面に対向するテーブルと、上方向に回転したテーブルを略水平に支持する支持機構とを含んでなることを特徴としている。
【０００６】
なお、扉を、筐体の側部に回転可能に支持される下部キャビネットと、この下部キャビネットの上部に設置される遊技者用の操作ユニットと、下部キャビネットの正面に取り付けられる光源と、下部キャビネットの正面に取り付けられて操作ユニットよりも下方に位置する扉枠と、この扉枠に取り付けられて光源を覆う透光性のパネル板とから構成し、
テーブルを扉枠に対応する略板形に形成して扉枠の上部に回転可能に支持させ、
支持機構を、扉枠の両側部に回転可能に支持される第一のバーと、この第一のバーに回転可能に連結され、テーブルの側部に回転可能に支持される第二のバーとから構成することができる。
【０００７】
また、扉を、筐体の側部に回転可能に支持される下部キャビネットと、この下部キャビネットの上部に設置される遊技者用の操作ユニットと、下部キャビネットの正面に取り付けられる光源とから構成し、
テーブルを、下部キャビネットの正面に回転可能に支持されて操作ユニットよりも下方に位置する扉枠と、この扉枠に取り付けられて扉の光源を覆う透光性のパネル板とから構成し、
支持機構を、下部キャビネットの両側部に回転可能に支持される第一のバーと、この第一のバーに回転可能に連結され、テーブルの側部に回転可能に支持される第二のバーとから構成することができる。
【０００８】
また、扉の正面に対向するテーブルとの接触に基づき、扉の光源をＯＮし、扉の正面から上方向に回転したテーブルとの離隔に基づき、扉の光源をＯＦＦするスイッチを備えると良い。
【０００９】
ここで、特許請求の範囲における扉の光源と透光性のパネル板との間には、不正行為を防止等する透明の保護カバー等を介在させることができる。扉の構成要素は、下部キャビネット、操作ユニット、光源、扉枠、及びパネル板のみに何ら限定されるものではない。また、テーブルは、透明、不透明、半透明のいずれでも良い。このテーブルは、少なくとも単数複数の鞄、煙草、雑誌、弁当箱、ハンバーガー、フライドチキン等を搭載しても支障のないよう構成されることが好ましい。
【００１０】
扉とテーブルは対向するが、この「対向」は、特に限定しない限り、接触の有無を問うものではない。「略水平」には、厳密な意味の水平状態と、多少傾斜しているが、おおよそ水平と認められる状態のいずれもが含まれる。さらに、本発明に係る遊技機には、少なくともスロットマシンが含まれる。
【発明の効果】
【００１１】
本発明によれば、遊技機正面の扉に対向するテーブルを上方向に回転させ、この回転したテーブルを支持機構により略水平に支持し、下方向への回転を規制すれば、必要に応じてテーブルに小物や荷物等の物品を置くことができる。したがって、鞄や煙草等の物品を手元に置くことができるから、遊技しやすい環境を整え、遊技に集中しながら楽しむことができるという効果がある。
【００１２】
また、飲食物等の物品を不衛生な床に直接置かなくても良いから、物品に関する衛生を損なうこともない。また、上方に回転したテーブルの搭載面が操作ユニットよりも下方に位置するので、遊技機の操作の邪魔になることがない。
また、支持機構の第一、第二のバーに、テーブルの一側部や裏面中央部を支持させるのではなく、テーブルの両側部を強固に支持させれば、テーブルが側方に傾き、物品が落下するおそれがなく、しかも、扉に対する光源のセットに支障を来たすこともない。
【００１３】
また、テーブルを、専用の部品から構成するのではなく、本来、扉の構成要素である扉枠とパネル板とから構成すれば、構成の簡素化と部品点数の削減を図ることができる。
さらに、扉の正面に対向する不使用のテーブルとの接触に基づき、扉の光源をＯＮし、扉の正面から上方向に回転して使用されるテーブルとの離隔（離れ隔たるの意味）に基づき、扉の光源をＯＦＦするスイッチを備えれば、遊技機の使用状況を遠方からでも容易に把握することができる。
【発明を実施するための最良の形態】
【００１４】
以下、図面を参照して本発明の好ましい実施の形態を説明するが、先ず、遊技機の全体構成について説明する。本実施形態における遊技機は、図１ないし図６に示すように、縦長の筐体ユニット１と、リールユニット３３を内蔵し、筐体ユニット１に着脱自在に取り付けられる分離ユニット３０と、全体を制御する制御装置５０と、これら筐体ユニット１、分離ユニット３０、及び制御装置５０に電力を供給する電源ユニット６０とを備え、分離型のスロットマシンとして図示しないホールのシマと呼ばれる一ブロックに設置される。
【００１５】
筐体ユニット１は、図１や図２に示すように、正面の開口したフロントオープンボックスタイプの筐体２と、この筐体２に設置されるホッパーユニット（図示せず）と、筐体２の開口した正面の下部である下半分を開閉する扉６等とから構成される。筐体２は、その背面壁に、空気流通用の複数の通気孔３やメダル用の補給口等がそれぞれ穿孔され、背面壁の内面下方には、演出音や報知音等を鳴り響かせる大型の背面スピーカが装着される。
【００１６】
筐体２の相対向する両側壁は上方向に向かうに従い徐々に狭まる縦長の台形にそれぞれ形成され、各側壁の中央部付近には、運搬用の把持孔４が略トラック形に穿孔される。また、筐体２の両側壁の内面中央部間には、筐体２の内部空間を上下に区画する棚板５が水平に架設され、各側壁の内面上部には、分離ユニット３０を保持するキャッチクリップが螺着される。
【００１７】
ホッパーユニットは、筐体２の平坦な内底にトップオープンボックスタイプのキャッシュボックスと共に並べて搭載され、筐体２の補給口から上部のタンクに供給等された多数枚のメダルを遊技結果に応じて払い出すよう機能する。
【００１８】
扉６は、図１や図３に示すように、筐体２の一側壁にヒンジ機構を介し回転可能に軸支される下部キャビネット７と、この下部キャビネット７の上部の操作プレートに設置される操作ユニット１４と、下部キャビネット７の正面にコネクタや横長の下部リフレクター２３を介して装着され、操作ユニット１４の下方に位置する扉枠２４と、この扉枠２４に着脱自在に嵌合される矩形のパネル板２６とから構成される。
【００１９】
下部キャビネット７は、その下部中央に、ホッパーユニットからのメダルを払い出す払出口８が矩形に穿孔されるとともに、この払出口８からのメダルを貯留するトップオープンボックスタイプのコインカップ９が装着され、このコインカップ９の中空に形成された一側部には、喫煙者用の灰皿セット１０が着脱自在に嵌入される。
【００２０】
下部キャビネット７の上部他側には、施錠・解錠用のドアロック１１が内蔵され、このドアロック１１の露出した鍵穴にキー１２が挿入されて回転操作されることにより、筐体２の正面の下半分を覆う下部キャビネット７が開放可能となる。また、下部キャビネット７の上部他側の裏面には、コインセレクタ１３、Ｒシュート、キャンセルカバー、及びセレクターブラケット等が組み合わせて装着される。
【００２１】
操作ユニット１４は、図１、図３、図５等に示すように、下部キャビネット７の上部他側に投入口カバー１５を介して螺着されるメダル投入口１６と、このメダル投入口１６やドアロック１１の鍵穴に近接するメダル返却ボタン１７と、操作プレートの上面一側部に装着される１ＢＥＴボタン１８と、この１ＢＥＴボタン１８の横方向に並べて装着されるＭＡＸＢＥＴボタン１９と、１ＢＥＴボタン１８の下方向に装着されるキャンセルボタン２０と、このキャンセルボタン２０の横方向に装着されて上下方向に揺動可能なスタートレバー２１と、リールユニット３３を構成する複数のリール３５に対応するよう操作プレートの正面にボタンプレートを介し装着される複数のストップボタン２２とから構成される。
【００２２】
メダル投入口１６は遊技者により投入されたメダルをその真偽判別用のコインセレクタ１３に誘導し、１ＢＥＴボタン１８は押圧操作に基づき既に投入された貯留メダルを１枚の投入メダルに減じて遊技可能とするよう機能する。また、ＭＡＸＢＥＴボタン１９は押圧操作に基づき貯留メダル数を最大投入枚数まで減じてメダル投入に変え、キャンセルボタン２０は押圧操作に基づき貯留メダルを払い出すよう機能する。
【００２３】
スタートレバー２１はメダル投入口１６に対するメダルの投入や１ＢＥＴボタン１８の押圧操作等を前提とした押下操作に基づき、分離ユニット３０のリールユニット３３を回転駆動するよう機能し、複数のストップボタン２２はスタートレバー２１の横方向に並べて配設され、各ストップボタン２２が押圧操作されることにより対応するリール３５の回転を停止させる。
【００２４】
扉枠２４は、図３に示すように、横長の枠体に形成され、下部キャビネット７の正面に複数のフックを介して着脱自在に支持されるとともに、下部リフレクター２３内の正面に水平にセットされた照明用の蛍光灯２５を包囲する。この扉枠２４の中空部には、光源である蛍光灯２５を覆う透光性のパネル板２６が上方からスライド可能に嵌合され、この横長のパネル板２６の表面には、遊技者が好む様々なキャラクターや文字等が描かれる。
【００２５】
分離ユニット３０は、筐体２の開口した正面の上半分内にキャッチクリップを介し着脱自在に嵌合保持されるメインフレーム３１と、このメインフレーム３１に内蔵されるリールユニット３３と、メインフレーム３１に装着されてリールユニット３３を覆う上部パネル３８とから構成される。メインフレーム３１は、下面と正面がそれぞれ開口した略箱形に形成され、筐体２の棚板５にベース板３２を介して搭載支持される。
【００２６】
リールユニット３３は、図２等に示すように、メインフレーム３１のベース板３２に搭載される断面略横Ｕ字形のリールボックス３４を備え、このリールボックス３４には、横一列に並ぶ複数（本実施形態では３本）のリール３５が内蔵されており、この複数のリール３５が共に回転したり、個別に回転する。
【００２７】
各リール３５は、リールボックス３４にモータプレートを介して装着支持されるステッピングモータ等のモータを備え、このモータの回転可能な駆動軸には、合成樹脂製のリールドラム３６が接続されており、このリールドラム３６の周面には、エンドレスのリールテープ３７が嵌合されるとともに、このリールテープ３７の表面には、抽選用の複数の図柄（図示しないが、本実施形態では合計２１個）が所定の配列で周方向に描かれる。
【００２８】
複数の図柄は、例えば抽選の外れの役を示す普通図柄と、抽選の当選の役を示す特別図柄と、次回の遊技時に新たなメダルを投入することなく、前回の遊技開始状態と同じ条件で再度遊技が行える再遊技の役を示す再遊技図柄とに分類される。普通図柄としては、例えば「ＢＡＲ」、「スイカ」、「ベル」、「チェリー」があげられ、特別図柄としては、例えば「赤７」があげられる。再遊技図柄としては、例えば「Ｒｅｐｌａｙ」があげられる。
【００２９】
上部パネル３８は、図１や図４に示すように、メインフレーム３１の側部にロック機構を介し回転可能に軸支される上部キャビネット３９を備え、この上部キャビネット３９の正面には、透光性の上部パネル板４０が上部パネル枠４１により装着される。この上部キャビネット３９は、リールユニット３３に対応する横長の開口が形成されるとともに、この開口に隣接する縦長の液晶ユニット４２が矩形に設けられ、この液晶ユニット４２に、遊技内容に応じて様々なキャラクター等が表示される。
【００３０】
上部キャビネット３９の開口の下部周縁には、遊技メダルの払出枚数やエラーを表示する表示器４３、遊技メダルの貯留枚数を表示する枚数表示器４４がそれぞれ装着され、上部キャビネット３９の開口の上部周縁近傍には、上部パネル板４０に覆われる照明用の蛍光灯が上部リフレクターを介し水平にセットされる。
【００３１】
上部キャビネット３９の上部中央には、透光性の上部ランプレンズ４５が装着され、上部キャビネット３９の上部両側には、上部ランプレンズ４５と共にアーチを形成するＬＥＤレンズ４６がアーチＬＥＤ基板を介してそれぞれ装着される。また、上部キャビネット３９の最上部両側には、ＬＥＤレンズ４６の上方に位置する透光性のスピーカレンズ４７がそれぞれ装着される。
【００３２】
上部キャビネット３９の裏面の上部中央には、上部ランプレンズ４５に対応する電球付きのアーチランプ基板がサブ中継基板等と共に装着され、上部キャビネット３９の裏面の最上部両側には、スピーカレンズ４７に対応する上部スピーカがスピーカグリルを介しそれぞれ装着される。
【００３３】
上部パネル板４０は、その表面に遊技者が好む様々なキャラクターや文字等が描かれ、リールユニット３３の複数の図柄を３×３のマトリックスに表示する横長の図柄表示窓４８、表示器４３や枚数表示器４４に対応する複数の表示窓４９がそれぞれ透明に形成される（図１、図５参照）。
【００３４】
制御装置５０は、図２に示すように、遊技内容や抽選内容を制御する主制御装置５１と、この主制御装置５１の制御下で動作する副制御装置５４とを備え、これら主制御装置５１と副制御装置５４とが筐体２内に設置されるとともに、背面スピーカ、ホッパーユニット、操作ユニット１４、蛍光灯２５、液晶ユニット４２、表示器４３、枚数表示器４４、アーチＬＥＤ基板、アーチランプ基板、サブ中継基板、上部スピーカ等にコネクタを介して接続されており、分離ユニット３０と共に着脱自在のメインユニットを構成する。
【００３５】
主制御装置（メイン基板ともいう）５１は、プリント基板からなる回路基板に、ＣＰＵ、ＲＯＭ、ＲＡＭ、Ｉ／Ｏ、その他の部品が実装されることにより構成され、不正改造されないよう透明の樹脂ケース５２に収納されて強固に封止されるとともに、メインフレーム３１の背面にメイン基板ベース５３を介して装着されており、図示しないホールのホールコンピュータに集中端子板を介して接続される。
【００３６】
このような主制御装置５１は、ＣＰＵがＲＡＭを作業領域としてＲＯＭに記憶された所定のプログラムを読み込むことにより、ホッパーユニットやリールユニット３３等を制御する遊技制御手段、予め定められた抽選確率に基づいて当選か否かの抽選を行なう当選抽選手段を形成する。
遊技制御手段は通常遊技手段や特別遊技手段として機能し、当選抽選手段は乱数発生手段、乱数抽出手段、当選判定テーブル、判定手段として機能するが、ここでは説明を省略する。特別遊技手段も、特定導入遊技制御手段や特定遊技制御手段として機能するが、ここでは説明を省略する。
【００３７】
副制御装置（サブ基板ともいう）５４は、プリント基板からなる回路基板に、ＣＰＵ、ＲＯＭ、ＲＡＭ、Ｉ／Ｏ、その他の部品が実装されることにより構成され、不正改造されないよう透明の樹脂ケース５２Ａに収納されて強固に封止されており、メインフレーム３１のベース板３２側方に箱形のサブ基板ベース５５を介し立てて設置され、リールユニット３３に隣接する。
【００３８】
このような副制御装置５４は、ＣＰＵがＲＡＭを作業領域としてＲＯＭに記憶された所定のプログラムを読み込むことにより、背面スピーカ、蛍光灯２５、アーチＬＥＤ基板、アーチランプ基板、上部スピーカ等からなる表示装置を制御する演出制御手段を形成する。
演出制御手段は、演出選択手段や遊技回数記憶手段として機能するが、上記と同様に説明を省略する。
【００３９】
電源ユニット６０は、筐体２の棚板５の下面に装着され、背面スピーカ、ホッパーユニット、操作ユニット１４、蛍光灯２５、液晶ユニット４２、表示器４３、枚数表示器４４、アーチＬＥＤ基板、アーチランプ基板、サブ中継基板、上部スピーカ、制御装置５０等にコネクタを介して接続されており、これらに必要な電力を給電する。この電源ユニット６０には、図４に示すように、例えばメインスイッチ、設定キースイッチ６１、設定変更スイッチ、打ち止め切り替えスイッチ、保護ヒューズ６２、ＡＣランプ、パワーランプ、アース線取付端子等が配設される。
【００４０】
さて、本実施形態における遊技機は、図３や図６に示すように、扉６の正面に取り付けられ、使用時には扉６のパネル板２６から上方向に９０度回転し、不使用時には上方向から下方向に９０度回転復帰して扉６のパネル板２６に重なるテーブル７０と、上方向に９０度回転したテーブル７０を水平に支持する支持機構８０とを備えている。
【００４１】
テーブル７０は、透光性を有する所定の材料を使用して扉枠２４の大きさに対応する横長の板形に形成され、表面に様々なキャラクターや文字等が描かれており、扉枠２４の上部に複数のヒンジ機構を介し上下方向に回転可能に軸支される。このテーブル７０の材料としては、特に限定されるものではないが、例えば高透明性と剛性に優れるＰＣやＰＡＲ等が好適に使用される。
【００４２】
支持機構８０は、図３や図６に示すように、扉枠２４の両側部にそれぞれ回転可能に軸支される第一のバー８１と、この第一のバー８１の先端部に回転可能に連結され、テーブル７０の側部先端に回転可能に軸支される第二のバー８２とから構成される。
このような構成の支持機構８０は、テーブル７０の使用時には複数の第一、第二のバー８１・８２が直線的に伸び、不使用時には複数の第一、第二のバー８１・８２が折り畳まれる。
【００４３】
上記構成において、遊技者がその所持する鞄、煙草８３、雑誌、弁当箱等を手元に置いて遊技したい場合には、畳まれた状態のテーブル（図１参照）７０を９０度回転させて上方に起こし、支持機構８０の第一、第二のバー８１・８２を直線的に伸ばしてテーブル７０を水平に支持させれば、このテーブル７０上に鞄、煙草８３、雑誌、弁当箱等を置いて遊技することができる（図６参照）。
【００４４】
この際、テーブル７０の搭載面が操作ユニット１４よりも下方に位置するので、１ＢＥＴボタン１８、ＭＡＸＢＥＴボタン１９、キャンセルボタン２０、スタートレバー２１、複数のストップボタン２２の操作に支障を来たすことがない（図５、図６参照）。
【００４５】
上記構成によれば、胸元のテーブル７０上に鞄、煙草８３、雑誌、弁当箱等を置くことができるので、これらを汚れている床に直接置く必要が全くない。したがって、鞄や煙草８３等を気にすることなく、大いに遊技に集中することができる。また、テーブル７０は、床よりも衛生的であるから、鞄、煙草８３、雑誌、弁当箱等の衛生を何ら損なうこともない。
【００４６】
次に、図７は本発明の第２の実施形態を示すもので、この場合には、扉６とテーブル７０を別々の専用品とするのではなく、テーブル７０を扉６の一部として構成するようにしている。
この場合、扉６は、筐体２の一側壁に回転可能に軸支される下部キャビネット７と、この下部キャビネット７の上部に設置される遊技者用の操作ユニット１４と、下部キャビネット７の正面に下部リフレクター２３を介して水平にセットされる蛍光灯２５とから構成される。
【００４７】
テーブル７０は、下部キャビネット７の正面に回転可能に軸支されて操作ユニット１４よりも下方に位置する扉枠２４と、この扉枠２４に嵌合されて扉６の蛍光灯２５を覆う透光性のパネル板２６とから構成される。また、支持機構８０は、下部キャビネット７の両側部にそれぞれ回転可能に軸支される第一のバー８１と、この第一のバー８１の先端部に回転可能に連結され、テーブル７０の側部先端に回転可能に軸支される第二のバー８２とから構成される。
【００４８】
なお、テーブル７０のセットの際に蛍光灯２５が直接露出しないよう、下部リフレクター２３の開口部に、透光性を有する板形のカバーを嵌合するようにしても良い。その他の部分については、上記実施形態と略同様であるので説明を省略する。
【００４９】
本実施形態においても上記実施形態と同様の作用効果が期待でき、しかも、本来的には扉６の部品である扉枠２４とパネル板２６とをテーブル７０に利用するので、部品点数の削減ときわめて簡易な構成を得ることができるのは明らかである。
【００５０】
次に、図８は本発明の第３の実施形態を示すもので、この場合には、下部リフレクター２３の内部一側に蛍光灯２５用のスイッチ８４を取り付け、このスイッチ８４を、扉６の正面に対向するテーブル７０との接触に基づきＯＮするとともに、扉６の正面から上方向に回転したテーブル７０との離隔に基づき、ＯＦＦするようにしている。その他の部分については、上記第２の実施形態と同様であるので説明を省略する。
【００５１】
本実施形態においても上記実施形態と同様の作用効果が期待でき、しかも、畳まれた状態のテーブル７０を９０度回転させて上方に起こし、テーブル７０を使用する場合には、点灯していた扉６の蛍光灯２５が消灯するので、遊技機の稼働状況を遠方から視覚的に観察するのがきわめて容易となるのは明らかである。
【００５２】
なお、上記実施形態ではテーブル７０を、扉枠２４の大きさに対応する板形に形成したが、何らこれに限定されるものではない。例えばテーブル７０を、扉枠２４よりも大きく形成しても良い。また、光源として蛍光灯２５を使用したが、何らこれに限定されるものではない。例えば、光源として単数複数の電球やＬＥＤ等を使用しても良い。
【図面の簡単な説明】
【００５３】
【図１】本発明に係る遊技機の実施形態における分離型スロットマシンを示す全体斜視図である。
【図２】本発明に係る遊技機の実施形態における筐体ユニットと分離ユニット等を示す分解斜視説明図である。
【図３】本発明に係る遊技機の実施形態における扉を示す分解斜視説明図である。
【図４】本発明に係る遊技機の実施形態における電源ユニットを示す斜視説明図である。
【図５】本発明に係る遊技機の実施形態を模式的に示す正面説明図である。
【図６】本発明に係る遊技機の実施形態を模式的に示す要部側面説明図である。
【図７】本発明に係る遊技機の第２の実施形態を模式的に示す斜視説明図である。
【図８】本発明に係る遊技機の第３の実施形態を模式的に示す斜視説明図である。
【符号の説明】
【００５４】
１        筐体ユニット
２        筐体
６        扉
７        下部キャビネット
１４      操作ユニット
１６      メダル投入口
１７      返却ボタン
１８      １ＢＥＴボタン
１９      ＭＡＸＢＥＴボタン
２０      キャンセルボタン
２１      スタートレバー
２２      ストップボタン
２３      下部リフレクター
２４      扉枠
２５      蛍光灯（光源）
２６      パネル板
３０      分離ユニット
３３      リールユニット
３５      リール
５０      制御装置
５１      主制御装置
５４      副制御装置
６０      電源ユニット
７０      テーブル
８０      支持機構
８１      第一のバー
８２      第二のバー
８３      煙草
８４      スイッチ
【図１】
2006141703.tif 000003
【図２】
2006141703.tif 000004
【図３】
2006141703.tif 000005
【図４】
2006141703.tif 000006
【図５】
2006141703.tif 000007
【図６】
2006141703.tif 000008
【図７】
2006141703.tif 000009
【図８】
2006141703.tif 000010